(57)【要約】      （修正有）【課題】半製品での在庫が可能であり、横幅の異なる各種寸法の製造にも柔軟に対応可能な座跳ね上げ式椅子を提供する。【解決手段】座板１２と共に座を構成する座枠１３を、前後方向に延在する一対の側座枠２０と、この一対の側座枠２０に着脱自在に取り付けられる椅子の横幅方向に延在する前座枠２２及び後座枠２１とで構成し、座の跳ね上げ機構を構成する部品や装置等を側座枠２０に集約して設けると共に座支持軸３３に着脱自在に設け、横幅の異なる各種寸法の座跳ね上げ式椅子を製造する際、側座枠２０及び座支持軸３３に着脱自在に設けられる部材を共通の部品とし、座板１２、前座枠２２、後座枠２１、座支持軸３３、裏カバー３０を所望の横幅のものに交換して組み立てるようにした。【選択図】図２
2014042653.tif 000002
【特許請求の範囲】
【請求項１】
離席の際に、座がほぼ水平状態から座支持軸を軸に回動して起立するように構成された座跳ね上げ式椅子であって、
前記座の着座部を支持する座枠を、前後方向に延在する一対の側座枠と、該一対の側座枠に着脱自在に取り付けられる横幅方向に延在する前座枠及び後座枠とで構成し、
座の跳ね上げ機構を構成する部品や装置を前記側座枠に集約して設けるようにしたことを特徴とする座跳ね上げ式椅子。
【請求項２】
前記座の跳ね上げ機構を構成する前記部品や装置の一部は、前記座支持軸に着脱自在に設けられていることを特徴とする請求項１に記載の座跳ね上げ式椅子。
【請求項３】
前記座の跳ね上げ機構を構成する前記部品は、常時、前記座が起立する付勢力を加える付勢部材であり、
前記側座枠の一方には、前記付勢部材の一端を止着する第１止着部材と、
前記座支持軸には、前記座の回動に伴って前記付勢部材の他端を回動可能に止着する該座支持軸に着脱自在に設けられた第２止着部材と
が設けられていることを特徴とする請求項２に記載の座跳ね上げ式椅子。
【請求項４】
前記座の跳ね上げ機構を構成する前記部品は、前記付勢部材の付勢力に抗して前記座を緩やかに跳ね上げる緩衝部材であり、
前記側座枠の一方又は他方には、前記緩衝部材の一端を止着する第３止着部材と、
前記座支持軸には、前記座の回動に伴って前記緩衝部材の他端を回動可能に止着する該座支持軸に着脱自在に設けられた第４止着部材と
が設けられていることを特徴とする請求項３に記載の座跳ね上げ式椅子。
【請求項５】
前記一対の側座枠の少なくとも一方には、前記座の回動角度を規制する回転阻止部材が設けられ、
前記座支持軸には、該回転阻止部材と係合する上限ストッパ及び下限ストッパが着脱自在に設けられ、
前記座に使用者が着席しているときは、前記下限ストッパに前記回転阻止部材が当接し、ほぼ水平の使用位置である下限の回動位置で前記座を停止させ、
一方、使用者が離席し前記座が跳ね上がって起立するときは、前記上限ストッパに前記回転阻止部材が当接し、斜め前上方を向く不使用位置である上限の回動位置で前記座を停止させること
を特徴とする請求項２乃至請求項４の何れか１項に記載の座跳ね上げ式椅子。
【請求項６】
請求項５に記載の上限ストッパ又は下限ストッパは、請求項３に記載の第２止着部材又は請求項４に記載の第４止着部材を兼ねていることを特徴とする座跳ね上げ式椅子。
【発明の詳細な説明】
【技術分野】
【０００１】
本発明は、劇場や映画館、スタジアム等に設置され、離席の際に、座が水平状態から回動して起立するように構成された座跳ね上げ式椅子に関する。
【背景技術】
【０００２】
従来より、劇場や映画館、スタジアム等では、一定の床面積により多くの椅子を配置でき、且つ椅子の前後間を歩行し易いように、座の後方側が椅子本体に回動可能に支持され、椅子に着席していないときには、座を水平状態から起立させ、椅子の前後の間隔を広げることができるように構成された座跳ね上げ式椅子が用いられている。
【０００３】
座跳ね上げ式椅子は、例えば特許文献１に示すように、座枠を金属を曲げ加工により前後左右４枚の板枠で方形状に一体的に形成し、その座枠の後方部に座支持軸を左右方向に貫通し、該貫通した座支持軸の両端が椅子両側の脚に固着されるようになっている。そして、座支持軸と座枠との間にスプリングを介装させ、このスプリングにより座支持軸を中心に座枠が回動して座が起立するように付勢力を常時加え、着席している使用者が離席すると同時に、座の前方部が跳ね上がって起立するように構成されている。
【０００４】
また、上記のように構成される座跳ね上げ式椅子の座枠には、座をほぼ水平の着座位置である下限の回動位置で停止させる下限ストッパ部と、座を斜前上方を向く非着座位置である上限の回動位置で停止させる上限ストッパ部とを有する回動角度規制部材や、スプリングの付勢力に抗して座を緩やかに跳ね上げるダンパー機構等の装置が取り付けられるようになっている。
【先行技術文献】
【特許文献】
【０００５】
【特許文献１】特開２０１０−４６２５３号公報
【発明の概要】
【発明が解決しようとする課題】
【０００６】
ところで、劇場や映画館、スタジアム等では、そのスペースやニーズに応じて種々の寸法、特に横幅の異なる座跳ね上げ式椅子が設置されることになるが、特許文献１の座跳ね上げ式椅子は、座枠が上記したように前後左右４枚の板枠で方形状に一体的に形成され、しかもスプリングや回動角度規制部材を取り付ける部材、或いはダンパー機構を構成する部品等が座支持軸や座枠の前後の板枠に溶接されて設けられている。
【０００７】
従って、このように構成される特許文献１の座跳ね上げ式椅子では、横幅の異なる各種寸法の座跳ね上げ式椅子を製造する場合、それぞれの寸法にあった座枠をいちいち曲げ加工により形成し、この加工した座枠や座支持軸にスプリングや回動角度規制部材、ダンパー機構等を溶接して設けなければならず、その結果、製造負担が大きくなり、製品在庫も困難になるという問題点がある。
【０００８】
本発明は、上記したような問題点に鑑みなされたもので、その目的とするところは、半製品での在庫が可能であり、横幅の異なる各種寸法の製造にも柔軟に対応可能な座跳ね上げ式椅子を提供することにある。
【課題を解決するための手段】
【０００９】
このような問題を解決するために、本発明の座跳ね上げ式椅子（椅子１）は、請求項１に記載したように、離席の際に、座（座１０）がほぼ水平状態から座支持軸（座支持軸３３）を軸に回動して起立するように構成された座跳ね上げ式椅子であって、前記座の着座部（座板１２）を支持する座枠（座枠１３）を、前後方向に延在する一対の側座枠（側座枠２０）と、該一対の側座枠に着脱自在に取り付けられる横幅方向に延在する前座枠（前座枠２２）及び後座枠（後座枠２１）とで構成し、座の跳ね上げ機構を構成する部品や装置を前記側座枠に集約して設けるようにしたことを要旨とする。
【００１０】
従って、このように構成される本発明においては、横幅の異なる各種寸法の座跳ね上げ式椅子を製造する場合、それぞれの寸法にあった座枠をいちいち曲げ加工により形成する必要がなく、前座枠及び後座枠の長さを変更するだけで極めて容易に対処することができる。
【００１１】
また、座の跳ね上げ機構を構成する部品や装置等が集約して設けられた側座枠は、横幅の異なる各種寸法の座跳ね上げ式椅子を製造する場合であっても、共通の部品として使用できるので、半製品として在庫しておくことができ、これにより製造工程が簡略化すると共に量産が可能となり、その結果、製造コストを軽減し、製造納期を早めることができる。即ち、本発明に係る座跳ね上げ式の椅子は、半製品での在庫が可能であり、横幅の異なる各種寸法の製造にも柔軟に対応することができるという顕著な効果を奏する。
【００１２】
ところで、座の跳ね上げ機構を構成する部品や装置等の全てを側座枠に集約して設けるのは、構造上困難な場合もあり、このような場合には次のようにするとよい。即ち、請求項２に記載の発明は、請求項１に記載の座跳ね上げ式椅子において、前記座の跳ね上げ機構を構成する前記部品や装置の一部は、前記座支持軸に着脱自在に設けられていることを要旨とする。
【００１３】
従って、このように構成される本発明においては、横幅の異なる各種寸法の座跳ね上げ式椅子を製造する場合、座支持軸に着脱自在に設ける座の跳ね上げ機構を構成する部品や装置を共通の部品として在庫しておくことが可能となり、その結果、座支持軸のみを交換するだけで対処することができる。
【００１４】
ここで、座の跳ね上げ機構を構成する部品は次のようにするとよい。即ち、請求項３に記載の発明は、請求項２に記載の座跳ね上げ式椅子において、前記座の跳ね上げ機構を構成する前記部品は、常時、前記座が起立する付勢力を加える付勢部材（コイルスプリング３４）であり、前記側座枠の一方（左側座枠２０）には、前記付勢部材の一端を止着する第１止着部材（ブラケット３５）と、前記座支持軸には、前記座の回動に伴って前記付勢部材の他端を回動可能に止着する該座支持軸に着脱自在に設けられた第２止着部材（掛止部材５７）とが設けられていることを要旨とする。
【００１５】
或いは、座の跳ね上げ機構を構成する部品は次のようにしてもよい。即ち、請求項４に記載の発明は、請求項３に記載の座跳ね上げ式椅子において、前記座の跳ね上げ機構を構成する前記部品は、前記付勢部材の付勢力に抗して前記座を緩やかに跳ね上げる緩衝部材（ダンパー３６）であり、前記側座枠の一方又は他方（左側座枠２０又は右側座枠２０）には、前記緩衝部材の一端を止着する第３止着部材（ブラケット３７）と、前記座支持軸には、前記座の回動に伴って前記緩衝部材の他端を回動可能に止着する該座支持軸に着脱自在に設けられた第４止着部材（止着部材５９）とが設けられていることを要旨とする。
【００１６】
従って、このように構成される請求項３、４記載の発明においては、座の跳ね上げ機構を構成する部品としての付勢部材や緩衝部材を、容易に側座枠に取り付けることができると共に座支持軸に着脱自在に取り付けることができる。なお、請求項３記載の付勢部材、請求項４記載の緩衝部材は、両者の機能（付勢及び緩衝機能）を兼ね備えた一つのガススプリングで構成するようにしてもよい。
【００１７】
また、座の跳ね上げ機構を構成する部品を設けた場合には、次のような構成にするとよい。即ち、請求項５に記載の発明は、請求項２乃至請求項４の何れか１項に記載の座跳ね上げ式椅子において、前記一対の側座枠の少なくとも一方には、前記座の回動角度を規制する回転阻止部材（回転阻止部材４４ａ、４４ｂ）が設けられ、前記座支持軸には、該回転阻止部材と係合する上限ストッパ（ストッパ４５ａ、４５ｂ）及び下限ストッパ（ストッパ４５ａ、４５ｂ）が着脱自在に設けられ、前記座に使用者が着席しているときは、前記下限ストッパに前記回転阻止部材が当接し、ほぼ水平の使用位置である下限の回動位置で前記座を停止させ、一方、使用者が離席し前記座が跳ね上がって起立するときは、前記上限ストッパに前記回転阻止部材が当接し、斜め前上方を向く不使用位置である上限の回動位置で前記座を停止させることを要旨とする。
【００１８】
従って、このように構成される本発明においては、座の跳ね上げ機構を構成する部品を設けた場合に係り、回転阻止部材を側座枠に設けると共に上限ストッパ、下限ストッパを座支持軸に着脱自在に設けることで、座の回動角度を所望の角度に規制することができ、好適となる。なお、上限ストッパと下限ストッパは、両者を一体的に設けてもよいし、それぞれ別体で設けるようにしてもよい。
【００１９】
また、請求項６に記載の発明のように、請求項５に記載の上限ストッパ又は下限ストッパは、請求項３に記載の第２止着部材又は請求項４に記載の第４止着部材を兼ねているとよい。このように構成すれば、上限ストッパ又は下限ストッパと第２止着部材又は第４止着部材は、それぞれ別途に座支持軸に着脱自在に設ける必要がなく、その結果、これらの部品の座支持軸への取り付け作業が極めて容易となり、且つ、部品点数が減少して在庫管理も容易となる。
【図面の簡単な説明】
【００２０】
【図１】本実施形態に係わる座跳ね上げ式椅子１の全体斜視図である。
【図２】本実施形態に係わる座跳ね上げ式椅子１の分解斜視図である。
【図３】本実施形態に係わる座１０単体の四面図である。
【００２１】
【図４】本実施形態に係わる座１０を構成する座板１２とクッション１１が組み付けられた状態の三面図である。
【図５】本実施形態に係わる座板１２単体の四面図である。
【００２２】
【図６】本実施形態に係わる座１０を構成する座枠１３単体の三面図である。
【図７】本実施形態に係わる座板１２と座枠１３の分解斜視図である。
【図８】本実施形態に係わる座支持軸３３にブッシュ４２及びストッパ４５ａ、ｂを取り付ける状態を示す説明図である。
【００２３】
【図９】本実施形態に係わる座板１２を座枠１３に取り付けるときの状態を示す斜視図である。
【図１０】本実施形態に係わる図３（Ａ）の左側の係止片１２ａ付近の拡大Ｃ−Ｃ断面図及び図３（Ａ）の係止片１２ｂ付近の拡大Ｄ−Ｄ断面図である。
【発明を実施するための形態】
【００２４】
１．椅子１の構成
以下に、本発明を実施するための形態を図と共に説明する。まず、図１を参照しながら、椅子１の全体構成について説明する。図１は、椅子１の全体斜視図である。本実施形態の椅子１は、大別すると、使用者が着席する座１０と、背凭れ３と、座１０及び背凭れ３を支持する側部材５とから成っている。
【００２５】
椅子１は、図１に示すように、座１０の後方側が左右の側部材５に回動可能に支持され、椅子１に着席していないときには、座１０を水平状態から自動起立（図１の左の椅子１の状態から右の椅子１の状態に移行）させ、椅子１の前後の間隔を広げることが可能な座跳ね上げ式椅子となっている。また、側部材５は、その固着部６が床や地面にアンカーボルト等で固着され、その上部は肘掛部７となっている。なお、椅子１同士の間に設けられる側部材５は、椅子１両者兼用の側部材５として使用されるようになっている。また、図１では、椅子１は２脚例示したが、この数は限定されるものではない。
【００２６】
次に、座１０の構成について説明する。図２は、椅子１の分解斜視図である。なお、本図において、座１０を構成するクッション１１、右側の側部材５及び背凭れ３は図示を省略している。また、図３は、座１０単体の四面図、図４は、座１０を構成する座板１２とクッション１１が組み付けられた状態の三面図、図５は、座板１２単体の四面図、図６は、座１０を構成する座枠１３単体の三面図、図７は、座板１２と座枠１３の分解斜視図を示している。
【００２７】
座１０は、クッション１１と、図２に示す座板１２、座枠１３、裏カバー３０とを組み立てることにより構成されるもので、まず、クッション１１の裏面側に組み付けられる座板１２について説明する。座板１２は、合成樹脂等の弾性部材で全体が略矩形状に形成され、図４に示すように、クッション１１の裏面側に該クッション１１を支持するように取り付けられている。
【００２８】
図に示すように、座板１２は、多数の同心円を形成するように円弧状に穿設された複数の溝１４が左右対称状に設けられており、その前端にはクッション１１の前垂れ部１１ａ（図３参照）を支持する下向きの突起板１５が突設されている。なお、図５においては、（Ａ）は、座板１２を表面側から、（Ｂ）は、座板１２を裏面側から、（Ｃ）は、（Ｂ）の右側から、（Ｄ）は、（Ｂ）の後側からそれぞれ見た場合を示し、また、図５（Ａ）〜（Ｃ）では、紙面上方が前、下方が後となる。なお、図４（Ａ）〜（Ｃ）は、図５（Ｂ）〜（Ｄ）に準ずる。
【００２９】
ここで、座板１２の裏面側には、下方に突出する略Ｌ字状の外方向に開口された４つの係止片１２ａ、ｂが、図４、５に示すように、それぞれ左右対称状に配置されて設けられている。これら係止片１２ａ、ｂは、後述する座枠１３の係合突片２０ａ及び折返片２１ａに係止して座板１２を座枠１３に固定する機能を有するもので、係止片１２ａは、座板１２裏面の左右側の略中央に一対設けられ、係止片１２ｂは、座板１２裏面の後側に並行状に一対設けられている。
【００３０】
また、座板１２には、図２、７に示すように、係止片１２ａ、ｂと対応する箇所に、略矩形状に切り欠かれた切欠部１６ａ、ｂが穿設されており、つまり係止片１２ａ、ｂは、切欠部１６ａ、ｂの４辺のうちの内側の辺から垂直状に立ち下がる矩形垂直片１８ａと、この矩形垂直片１８ａの下端から外方向に水平状に延在する矩形水平片１８ｂとでＬ字形に形成され、切欠部１６ａ、ｂは、この矩形水平片より一回り大きく形成されている（図４、５及び後述する図１０参照）。なお、図中、１７は、係止片１２ａ、ｂで座板１２を座枠１３に固定した後、タッピングネジ２４（図３、６参照）で座板１２と座枠１３とを締結するための取付孔である。この取付孔１７は、座板１２の前側の左右縁に、略々係止片１２ｂと対向するように穿設されている。
【００３１】
次に、本実施形態の要部となる座枠１３の構成について説明する。座枠１３は、図２に示すように、前後方向に延在する一対の側座枠２０と、この一対の側座枠２０を連結する左右方向（椅子１の横幅方向）に延在する前座枠２２及び後座枠２１とで、上下が大きく開口した方形状に形成されており（図６（Ａ）、７参照）、これら座枠１３を構成する側座枠２０、前座枠２２及び後座枠２１は、金属性の材料により形成されている。なお、図６においては、（Ａ）は、座枠１３を表面側から見た場合を示し、（Ｂ）は、（Ａ）のＡ−Ａ断面図、（Ｃ）は、（Ａ）のＢ−Ｂ断面図を示し、また、図６（Ａ）〜（Ｃ）では、紙面上方が前、下方が後となる。なお、図３（Ａ）〜（Ｃ）は、図６（Ａ）〜（Ｃ）に準じ、図３（Ｄ）は、図３（Ａ）の右側面図である。
【００３２】
前座枠２２は、薄い金属板で後座枠２１よりも縦方向に短尺の略コの字状に形成され、その上下に折り返された座枠１３の内方向に向かう折返片２２ａ、ｂの両端には、タッピングネジ２５（図３、６参照）で側座枠２０と固着するための取付孔２３が穿設されている。また、前座枠２２の上角部には、アール面２２ｃが形成されており、このアール面２２ｃは、座板１２の突起板１５の形状に合わせて設けられているものである。
【００３３】
前座枠２２よりも縦方向に長尺の後座枠２１は、前座枠２２と同様に薄い金属板で略コの字状に形成され、その上下に折り返された座枠１３の内方向に向かう折返片２１ａ、ｂの両端には、タッピングネジ２６（図３、６参照）で側座枠２０と締結するための取付孔１９が穿設されている。なお、後座枠２１の上側で折り返された折返片２１ａには、上述した座板１２の係止片１２ｂが係止されるようになっている。
【００３４】
側座枠２０は、前座枠２２及び後座枠２１よりも肉厚の金属板で前方に向かってテーパー状の細長い略台形状に形成され、その前後方向の略中央には、座枠１３の内方向に向かって突出する矩形板状の係合突片２０ａが突設されている。この係合突片２０ａには、上述した座板１２の係止片１２ａが前方側から嵌合して係止されるようになっている。なお、この係合突片２０ａは、係止片１２ａが嵌合し易いように、その前端側がテーパー状に形成されている。
【００３５】
側座枠２０の前側には、座枠１３の内方向に向かって膨出し前座枠２２の端部と嵌合する前座枠取付部２７が形成され、前座枠取付部２７の上下には、前座枠２２の取付孔２３と重合する取付孔２８が穿設されている。また、前座枠取付部２７の下端には、下方後側に向かって段状に延在し、裏カバー３０と係合して該裏カバー３０の前端側を係止する受板２９が形成されている。
【００３６】
また、前座枠取付部２７の後方には、側座枠２０の上端から内方向に向かって突出する矩形板状の固定板３１が突設されており、この固定板３１の中央には、座板１２の取付孔１７と重合しタッピングネジ２４（図３、６参照）で座板１２と座枠１３とを締結するための取付孔３２が穿設されている。
【００３７】
また、固定板３１の後方には、座枠１３の内方向に向かって相対的に上下に幅広状に突出し、後述のコイルスプリング３４の一端側を係止するブラケット３５が突設されている。なお、このブラケット３５は、一方側の側座枠２０のみに設けられる部材であり、他方側の側座枠２０には、ブラケット３５と対向する位置に、座枠１３の内方向に向かって突出し、後述のダンパー３６の一端側を係止するブラケット３７が突設されている（なお、図７においては、ダンパー３６は図示を省略している）。
【００３８】
一方、側座枠２０の後端には、後座枠２１の端部と嵌合する略コの字枠状の後座枠取付部３８が形成され、後座枠取付部３８の上下には、後座枠２１の取付孔１９と重合する取付孔３９が穿設されている。また、後座枠取付部３８の下端前側には、裏カバー３０の後端側をタッピングネジ４０（図３参照）で締結するための固定板４１が形成されている。
【００３９】
また、後座枠取付部３８の前方には、後述する座支持軸３３が貫通すると共に該座支持軸３３を軸受けするブッシュ４２と嵌合する円形の回転孔４３が穿設されている。この回転孔４３は、側座枠２０がブッシュ４２のまわりを回動可能なように該ブッシュ４２と嵌合されている。
【００４０】
また、回転孔４３の周縁には、回転孔４３を挟んで対向するように上側に回転阻止部材４４ａが、下側に回転阻止部材４４ｂが設けられている。この回転阻止部材４４ａ、ｂは、後述する座支持軸３３に取り付けられるストッパ４５ａ、ｂと係合して、座１０の回動角度を規制する部材である。
【００４１】
座支持軸３３は、金属の材料で角パイプ状に形成され、その両端側には、図８に示すように、ストッパ４５ａ、ｂを取り付けるための取付孔５１が穿設されている。なお、図８は、座支持軸３３にブッシュ４２及びストッパ４５ａ、ｂを取り付ける状態を示す説明図である。また、図８において、座支持軸３３の右側の取付孔５１、ブッシュ４２及びストッパ４５ａ、ｂは図示を省略している。
【００４２】
ストッパ４５ａ、ｂは、金属等の材料で形成されており、ストッパ４５ａは座支持軸３３の上側に、ストッパ４５ｂは座支持軸３３の下側に、それぞれ座支持軸３３を跨ぐように設けられている。また、ストッパ４５ａ、ｂには、座支持軸３３の取付孔５１と重合する取付孔５２、雌ネジ孔５０が穿設されており、つまりストッパ４５ａ、ｂは、図８に示すように、取付孔５２、雌ネジ孔５０を介してボルト５３を螺着することにより、座支持軸３３に取り付けられている。
【００４３】
座支持軸３３の左上側に位置するストッパ４５ａには、その右側面側にコイルスプリング３４の後端を回動自在に枢着する掛止部材５７（図２、７参照）が一体的に設けられており、つまりコイルスプリング３４は、その前端を回動可能な左側座枠２０のブラケット３５にナット５８で止着され、その後端を回動不能な座支持軸３３に取り付けられたストッパ４５ａの掛止部材５７に回動自在に止着されている。なお、コイルスプリング３４の後端を掛止部材５７に回動自在に止着するには、例えば、掛止部材５７に取付孔を穿設し、この取付孔にコイルスプリング３４の釣り針状に形成した後端部分を引っ掛けるようにすればよい。
【００４４】
ここで、コイルスプリング３４の後端は、左側座枠２０の回転軸、つまり回転孔４３及び座支持軸３３の中心を通る軸線ＣＬ（図７、８の一点鎖線）よりも上側且つ後側で止着されている。このようにコイルスプリング３４を取り付けることにより、コイルスプリング３４は、図１の右の椅子１に示すように、座１０を跳ね上げて起立させたときに初期状態（コイルスプリング３４が座１０の起立状態を保持するのに必要な程度に僅かに伸張している状態）となり、図１の左の椅子１に示すように、座１０を跳ね上げていない水平のときに付勢状態（コイルスプリング３４が座１０を跳ね上げるのに必要な程度に十分に伸張している状態）となり、これにより常時座１０が起立する付勢力を加えるように付勢部材として機能する。
【００４５】
一方、座支持軸３３の右上側に位置するストッパ４５ａには、その左側面側にダンパー３６の後端を回動自在に枢着する止着部材５９（図２参照）が一体的に設けられており、つまりダンパー３６は、その前端を回動可能な右側座枠２０のブラケット３７に回動自在に止着され、その後端を回動不能な座支持軸３３に取り付けられたストッパ４５ａの止着部材５９に回動自在に止着されている。
【００４６】
ここで、ダンパー３６の後端は、左側座枠２０の回転軸、つまり回転孔４３及び座支持軸３３の中心を通る上記軸線ＣＬよりも下側且つ前側で止着されている。なお、ダンパー３６は、シリンダとピストンロッドからなる油圧式等の周知のダンパー装置であって、本実施形態では、このようにダンパー３６を取り付けることにより、ダンパー３６は、図１の左の椅子１に示すように、座１０を跳ね上げていない水平のときにシリンダからのピストンロッドの突出量が最も短くなり、図１の右の椅子１に示すように、座１０を跳ね上げて起立させたときに、その回転動作に伴って徐々にシリンダからのピストンロッドの突出量が長くなり、これによりコイルスプリング３４の付勢力に抗して座１０を緩やかに跳ね上げるように緩衝部材として機能する。
【００４７】
ブッシュ４２は、樹脂材料で円形状に形成され、その内部に座支持軸３３と同形状の貫通孔５４が穿設されており、つまりブッシュ４２は、この貫通孔５４に座支持軸３３を嵌合して貫通させることにより、座支持軸３３に取り付けられている。また、ブッシュ４２の内側面には、外周方向に突出する２つの係止片５５が、貫通孔５４を挟んで対向するように突設されている（図２、８参照）。この係止片５５は、側座枠２０の回転孔４３にブッシュ４２を嵌合したとき、側座枠２０の側面と当接してブッシュ４２が回転孔４３をすり抜けてしまうのを防止するための部材である。
【００４８】
裏カバー３０は、図２に示すように、開口した座枠１３の下側を閉塞するように合成樹脂等で略矩形状に形成され、その前側両端には、側座枠２０の受板２９と係合する上方に突出した係止片６０と、その後側両端には、側座枠２０の固定板４１とタッピングネジ４０（図３参照）で締結されるボス６１が上方に突設されている。つまり、裏カバー３０は、係止片６０にて受板２９に係合させた状態でボス６１を固定板４１とタッピングネジ４０にて締結することで、側座枠２０に取り付けられるようになっている。
【００４９】
側部材５は、金属性の材料により形成され、図２に示すように、座１０方向に突出した座支持軸３３の端部を受けて該座支持軸３３を嵌合する軸受部材６３が突設されている。また、側部材５は、軸受部材６３に嵌合した座支持軸３３を上方から押さえ込んで、軸受部材６３とで座支持軸３３を挟着するように固定する上板６４と、この上板６４を覆うように軸受部材６３に取り付けられる覆い部材６５とを有している。なお、軸受部材６３、上板６４、覆い部材６５には、それぞれが重合する雌ネジ孔６７、取付孔６８、６９が穿設されており、座支持軸３３は、これら雌ネジ孔６７、取付孔６８、６９をボルト６６で螺着することにより、側部材５に固定されるようになっている。
【００５０】
２．椅子１の組み立て
次に、以上のように構成される椅子１を組み立てる場合について、図２、７〜１０を参照しながら説明する。なお、図９は、座板１２を座枠１３に取り付けるときの状態を示す斜視図、図１０は、図３（Ａ）の左側の係止片１２ａ付近の拡大Ｃ−Ｃ断面図及び図３（Ａ）の係止片１２ｂ付近の拡大Ｄ−Ｄ断面図である。
【００５１】
まず、椅子１を組み立てるには、図８に示すように、座支持軸３３の取付孔５１にストッパ４５ａ、ｂの取付孔５２、雌ネジ孔５０を重ね、この取付孔５１及び取付孔５２、雌ネジ孔５０にボルト５３を螺着することにより、座支持軸３３の両端側にストッパ４５ａ、ｂを取り付ける。そして、ストッパ４５ａ、ｂを取り付けた座支持軸３３両端の外側から、ブッシュ４２を、ブッシュ４２が有する貫通孔５４にて座支持軸３３に嵌合貫通させて座支持軸３３に取り付ける。この際、ブッシュ４２は、その内側面がストッパ４５ａ、ｂの右側面に当接するまで押し込むようにして座支持軸３３に取り付ける。
【００５２】
次に、左側座枠２０の前座枠取付部２７に前座枠２２の左端を嵌合して側座枠２０の取付孔２８に前座枠２２の取付孔２３を重ね、この取付孔２８、２３にタッピングネジ２５（図３、６参照）を螺着することにより、前座枠２２を左側座枠２０に取り付ける。次に、左側座枠２０の後座枠取付部３８に後座枠２１の左端を嵌合して左側座枠２０の取付孔３９に後座枠２１の取付孔１９を重ね、この取付孔３９、１９にタッピングネジ２６（図３、６参照）を螺着することにより、後座枠２１を左側座枠２０に取り付ける。なお、左側座枠２０への前座枠２２及び後座枠２１の組み付け順は、前後してよい。
【００５３】
次に、座支持軸３３に取り付けた左側のブッシュ４２を左側座枠２０の回転孔４３に回動可能に嵌合し、座支持軸３３を左側座枠２０に、その左端が外方向に貫通するように取り付ける。この際、ブッシュ４２の係止片が左側座枠２０の内面に当接するまで押し込むようにして、座支持軸３３を左側座枠２０に取り付ける。なお、座支持軸３３を左側座枠２０に組み付けてから、前座枠２２及び後座枠２１を左側座枠２０に組み付けるようにしてもよい。
【００５４】
次に、上記の組み付け手順に準じて、座支持軸３３を右側座枠２０に取り付け、次に、右側座枠２０に前座枠２２及び後座枠２１を取り付ける。これにより、座枠１３は、ブッシュ４２のまわりを回動可能に座支持軸３３にて軸支されることになる。なお、左側座枠２０よりも先に、右側座枠２０に座支持軸３３、前座枠２２及び後座枠２１を取り付けるようにしてもよい。
【００５５】
また、上述した座枠１３の組み付け手順は、次のようにしてもよい。即ち、左右側座枠２０、前座枠２２及び後座枠２１を組み付けて先ず座枠１３外周の矩形枠体を完成させ、次にブッシュ４２を取り付けた座支持軸３３を左右側座枠２０の回転孔４３に貫通し、最後にストッパ４５ａ、ｂを座支持軸３３に取り付けることで、ブッシュ４２を座支持軸３３に位置固定して回転孔４３に回動可能に嵌合することで、座枠１３を組み付けるようにしてもよい。
【００５６】
次に、コイルスプリング３４を、その後端を左側のストッパ４５ａに設けられた掛止部材５７に座枠１３の回動に伴って回動可能に止着すると共に、その前端を左側座枠２０のブラケット３５にナット５８で回動不能に止着する。次に、ダンパー３６を、その後端を右側のストッパ４５ａに設けられた止着部材５９に座枠１３の回動に伴って回動可能に止着すると共に、その前端を右側座枠２０のブラケット３７に回動可能に止着する。これにより、コイルスプリング３４は掛止部材５７の止着箇所を中心にして、ダンパー３６は止着部材５９の止着箇所を中心にして、回動可能に設けられることになる。なお、座枠１３へのコイルスプリング３４及びダンパー３６の組み付け順は、前後してよい。
【００５７】
次に、クッション１１の裏面側に組み付けられた座板１２を、図９（なお、図９においては、クッション１１は図示を省略している）に示すように、座板１２の左右中央の係止片１２ａ、ｂが座枠１３の係合突片２０ａより前側に位置するように、座板１２を座枠１３に宛がい、矢印Ａに示すように、座板１２を前方から後方にスライドするように移動させる。
【００５８】
すると、図１０に示すように、座板１２の裏面側に下方に突出する外方向に開口されたＬ字形の係止片１２ａ、ｂと座枠１３の係合突片２０ａ及び折返片２１ａとが嵌合し、つまり、矩形水平片１８ｂと座板１２本体との隙間（矩形垂直片１８ａ部分）に係合突片２０ａ及び折返片２１ａが嵌合し、係合突片２０ａ及び折返片２１ａが矩形水平片１８ｂと座板１２本体とで挟着される。
【００５９】
この際、座枠１３に対して座板１２を前方から後方にスライドすると、係止片１２ｂの矩形垂直片１８ａが折返片２１ａに当接し、突起板１５が前座枠２２に当接する。つまり、これら係止片１２ｂ（矩形垂直片１８ａ）及び突起板１５は、座板１２を座枠１３に取り付けるときの座板１２の位置決め手段としての機能を有している。さらに、係合突片２０ａは、係止片１２ａが嵌合し易いように、その前端側がテーパー状に形成されているので、このような構成により、座枠１３は一方向にスライドさせるだけで、極めて容易にワンタッチで座枠１３に取り付けることができる。
【００６０】
次に、係止片１２ａ、ｂに係合突片２０ａ及び折返片２１ａを嵌合すると、座枠１３の固定板３１の取付孔３２と座板１２の取付孔１７とが重合するので、この取付孔３２、１７にタッピングネジ２４（図３、６参照）を螺着することにより、座板１２を座枠１３に締結する。これにより座板１２は座枠１３にしっかりと固定される。
【００６１】
次に、座板１２を座枠１３に固定したら、裏カバー３０の係止片６０を座枠１３の受板２９に係合し、裏カバー３０のボス６１を座枠１３の固定板４１とタッピングネジ４０で締結して、裏カバー３０を座枠１３に取り付ける。これにより、座１０が組み立てられる。なお、座枠１３への座板１２及び裏カバー３０の組み付け順は、前後してよい。
【００６２】
次に、座枠１３に座板１２及び裏カバー３０を組み付けて座１０を組み立てたら、座枠１３から左右に突出している座支持軸３３の両端を側部材５の軸受部材６３に嵌合し、この嵌合した座支持軸３３の上方に上板６４を配置して軸受部材６３とで座支持軸３３を挟み込み、この状態で覆い部材６５を上板６４を覆うように軸受部材６３に宛がって、これら軸受部材６３、上板６４、覆い部材６５の雌ネジ孔６７、取付孔６８、６９を重ねてボルト６６で螺着する。これにより、座１０は側部材５に組み付けられて椅子１の組み立てが完了する。
【００６３】
しかして、椅子１に着席していた使用者が離席すると、座１０が水平状態からコイルスプリング３４の付勢力により起立する。即ち、コイルスプリング３４は、座１０が水平状態のときの十分に伸張している付勢状態から、座１０が起立状態のときの僅かに伸張している初期状態に復元するときの付勢力により座１０を回動させて跳ね上げる。この際、ダンパー３６は、コイルスプリング３４の付勢力を緩衝させて座１０を緩やかに跳ね上げる。
【００６４】
また、図２、７、８に示すように、椅子１に使用者が着席しているときは、座枠１３の回転阻止部材４４ａが座支持軸３３の上側のストッパ４５ａの後面に当接すると共に、座枠１３の回転阻止部材４４ｂが座支持軸３３の下側のストッパ４５ｂの前面に当接し、これにより、ほぼ水平の使用位置である下限の回動位置で座１０を停止させ、一方、座１０が跳ね上がって起立するときは、座枠１３の回転阻止部材４４ａが座支持軸３３の下側のストッパ４５ｂの後面に当接すると共に、座枠１３の回転阻止部材４４ｂが座支持軸３３の上側のストッパ４５ａの前面に当接し、これにより、斜め前上方を向く不使用位置である上限の回動位置で座１０を停止させる。
【００６５】
また、椅子１の横幅を変更する場合には、上述した組み立て手順と逆の順序で椅子１を分解し、クッション１１、座板１２、前座枠２２、後座枠２１、座支持軸３３、裏カバー３０を所望の横幅のものに交換して組み立てるようにすればよい。
【００６６】
３．本実施形態の効果
以上の説明から明らかなように、本実施形態に係る座跳ね上げ式の椅子１は、座枠１３を、前後方向に延在する一対の側座枠２０と、この一対の側座枠２０に着脱自在に取り付けられる左右方向（椅子１の横幅方向）に延在する前座枠２２及び後座枠２１とで構成したので、横幅の異なる各種寸法の座跳ね上げ式椅子を製造する場合、それぞれの寸法にあった座枠をいちいち曲げ加工により形成する必要がなく、前座枠２２及び後座枠２１の長さを変更するだけで極めて容易に対処することができる。
【００６７】
また、座枠１３では、座１０の跳ね上げ機構を構成する部品や装置等が側座枠２０に集約して設けられていると共に、座支持軸３３に着脱自在に設けられている。即ち、横幅の異なる各種寸法の座跳ね上げ式椅子を製造する場合であっても、座枠１３において共通の部品として使用できる側座枠２０には、前座枠２２を取り付けるための前座枠取付部２７、裏カバー３０を取り付けるための受板２９、固定板４１、座板１２を取り付けるための係合突片２０ａ、固定板３１、コイルスプリング３４を取り付けるためのブラケット３５、ダンパー３６を取り付けるためのブラケット３７、後座枠２１を取り付けるための後座枠取付部３８、座支持軸３３を取り付けるための回転孔４３、座１０の回動角度を規制するための回転阻止部材４４ａ、ｂが予め集約して設けられている。
【００６８】
一方、共通の部品として使用できない前座枠２２及び後座枠２１は、略コの字状に形成された板枠のみで一切部品や装置が取り付けられておらず、また、同じく共通の部品として使用できない座支持軸３３には、座支持軸３３を軸受けして回転孔４３と回動可能に嵌合するブッシュ４２、座１０の回動角度を規制するストッパ４５ａ、ｂが着脱自在に設けられていると共に、ストッパ４５ａ、ｂにはコイルスプリング３４を回動自在に枢着する掛止部材５７及びダンパー３６を回動自在に枢着する止着部材５９が一体的に設けられている。
【００６９】
従って、このように構成される本実施形態に係る座跳ね上げ式の椅子１は、横幅の異なる各種寸法の座跳ね上げ式椅子を製造する場合に係り、座１０の跳ね上げ機構を構成する部品や装置が集約して設けられる共通部品の側座枠２０及び座支持軸３３に着脱自在に設けられるブッシュ４２、ストッパ４５ａ、ｂ、掛止部材５７、止着部材５９は、半製品部材として在庫しておくことができるので、これにより製造工程が簡略化すると共に量産が可能となり、その結果、製造コストを軽減し、製造納期を早めることができる。
【００７０】
即ち、本実施形態に係る座跳ね上げ式の椅子１は、半製品部材での在庫が可能であり、横幅の異なる各種寸法の製造にも柔軟に対応することができるという顕著な効果を奏する。
【００７１】
以上、本発明の実施形態に係わる座跳ね上げ式の椅子１を図面に基づいて説明してきたが、具体的な構成は実施形態に示したものに限定されるものではなく、本発明の要旨を逸脱しない範囲における変更や追加などがあっても本発明に含まれる。
【００７２】
例えば、上述した実施形態においては、常時座１０が起立する付勢力を加える付勢部材としてコイルスプリング３４、コイルスプリング３４の付勢力に抗して座１０を緩やかに跳ね上げる緩衝部材としてダンパー３６を示したが、これは限定することなく、同様な機能を有するその他の付勢部材や緩衝部材であってもよい。
【符号の説明】
【００７３】
１…椅子、  ３…背凭れ、
５…側部材、  ６…固着部、
７…肘掛部、  １０…座、
１１…クッション、  １１ａ…前垂れ部、
１２…座板、  １２ａ、１２ｂ、５５、６０…係止片、
１３…座枠、  １４…溝、
１５…突起板、  １６ａ、１６ｂ…切欠部、
１７、１９、２３、２８、３２、３９、５１、５２、６８、６９…取付孔、
１８ａ…矩形垂直片、  １８ｂ…矩形水平片、
２０…側座枠、  ２０ａ…係合突片、
２１…後座枠、  ２１ａ、２２ａ、２２ｂ…折返片、
２２…前座枠、  ２２ｃ…アール面、
２４、２５、２６、４０…タッピングネジ、  ２７…前座枠取付部、
２９…受板、  ３０…裏カバー、
３１、４１…固定板、  ３３…座支持軸、
３４…コイルスプリング、  ３５、３７…ブラケット、
３６…ダンパー、  ３８…後座枠取付部、
４２…ブッシュ、  ４３…回転孔、
４４ａ、４４ｂ…回転阻止部材、  ４５ａ、４５ｂ…ストッパ、
５０、６７…雌ネジ孔、  ５３、６６…ボルト、
５４…貫通孔、  ５７…掛止部材、
５８…ナット、  ５９…止着部材、
６１…ボス、  ６３…軸受部材、
６４…上板、  ６５…覆い部材。
【図１】
2014042653.tif 000003
【図２】
2014042653.tif 000004
【図３】
2014042653.tif 000005
【図４】
2014042653.tif 000006
【図５】
2014042653.tif 000007
【図６】
2014042653.tif 000008
【図７】
2014042653.tif 000009
【図８】
2014042653.tif 000010
【図９】
2014042653.tif 000011
【図１０】
2014042653.tif 000012